(57)【要約】      （修正有）【課題】一般の店舗では、生鮮食品等の場合鮮度保持時間内で商品を売切ってしまいたいがその後に同じ店舗で他の商品を扱う事は、臭気等室内環境上の制約により商品構成が限られてしまい、やむなくある程度の鮮度を犠牲にしながら営業時間を調整していた。【解決手段】店舗ビルの店舗形式にコンテナー型店舗を取込みそれを容易に移動を可能とするコンテナークレーン形式の搬出入機械システムを備える事で、消費形態に合わせ１日数回店舗そのものの変更が可能とする事で、前業態による室内環境上の制約が発生しない店舗ビルとなり、鮮度内で売り切ってもすぐに他の店舗に入替え、常に鮮度の高い商品構成が特徴となるようなマーケットシステムを構築する事で解決可能である。【選択図】図１
2006291562.tif 000002
【特許請求の範囲】
【請求項１】
１日数回の業態変更を可能とする店舗ビルとする為に、コンテナー型店舗を使用する、このコンテナー型店舗で、市場及び生産地にて商品の仕入れから陳列と値入までを完了してしまう、完了したコンテナー型店舗は、専用トラックにてコンテナー型店舗の集合体である店舗ビルに搬送する。搬送されたコンテナー型店舗は、同店舗ビルに備え付けられたコンテナークレーンにより所定の店舗組込みスペースに組み込まれ営業を開始する、商品を売切ったコンテナー型店舗は、再び同コンテナークレーンにより搬出され専用トラックで生産地に返送される、返送され空いた店舗ビルの空き店舗組込みスペースには、新たに生産地にて商品を陳列したコンテナー型店舗が搬入され営業が再開される。このコンテナー型店舗での、仕入れ→運搬→搬入→販売→搬出→運搬→仕入れまでの一連の流れは、コンテナー型店舗及び商品に取付られたＩＣタグの情報と、この情報を読み取るＰＯＳを情報端末とするコンピュータシステムにより運用する。１日数回の業態変更を可能とする店舗ビルシステムを開発する事で、常時高鮮度な商品の販売を特徴とするタイムリーなマーケットシステムが完成する。
・コンテナー型店舗とは    →  トラック運搬用コンテナー内に店舗システム（内装・ショーケース・厨房機器・什器備品・冷凍機・ドア・窓・シャッター等を備えた）動産に相当するコンテナー型店舗システム。
・店舗ビルシステムとは    →  コンテナー型店舗を組込める店舗組込みスペース・客溜り・レジ・デッキ・洗面所・管理室・オープンテラス・コンテナークレーン・                          荷揚場等を装備し内装材及び空調により臭気除菌対策を施された固定資産に相当する店舗ビル。
・コンテナークレーンとは  →  コンテナー型店舗を店舗ビルシステムに搬出入する為のクレーンで、電動によりレール上を走行し、油圧により挟み、ロープで吊上げ赤外線等の各種センサーとコンピュータにより自動制御され、ガイドレールにより所定の店舗組込みスペースに装着と脱着をすることが出来る、走行クレーン型自動搬出入機械システムで機械工作物に相当するもの。
・運搬用コンテナーとは    →  商品材料等を運搬する搬出入扉を備えた鋼製の箱で、専用の運搬トラックで移動できるもの。
・マーケットシステムとは  →  コンテナー型店舗を使い生産地での仕入れから店舗ビルでの販売と移動による業態変更までを一元的に運用するシステム。
・タイムリーマーケットとは→  消費形態及び消費時間に合わせた店舗展開を行うジャストタイムマーケット。
・店舗組込みスペースとは  →  店舗ビルに備えたコンテナークレーンにより コンテナー型店舗を組込み取外すことの出来る店舗ビル内のスペース。
・固定型店舗とは          →  移動することの出来ない不動産にあたる店舗で固定資産に相当するもの。
・コンテナー基地とは      →  生産地に隣接するコンテナー型店舗の集積基地で、清掃  管理  商品の陳列ＩＣタグの装着及び入力を行う場所。
・ＩＣタグとは            →  読み書き可能なＩＣチップで生産データーや販売情報を組込んだ荷札。
【発明の詳細な説明】
【技術分野】
【０００１】
本発明は、常時高鮮度の商品の売りを特徴とする店舗ビルとする為に、仕入れからコンテナー型店舗を活用し、販売までを同コンテナー型店舗で行うもので、店舗ビルから1日数回容易に搬出入出来る、コンテナークレーン形式のコンピュータ制御によるコンテナー搬出入機械システムを装備する事で成立させるものである。
【０００２】
従来の生鮮３品を扱う固定型店舗では鮮度内の数時間で売切ってしまいたいが後の店舗展開が難しいたため鮮度を犠牲にして営業時間を調整していた。
【０００３】
一般的にコンテナー型店舗を利用する場合は工期が短くローコストであることから単体での利用が多く固定型店舗として活用するケースが主であった。
【０００４】
コンテナー型店舗を移動型として利用するためにはいつでも容易に移動を可能とする搬出入システムを備えた店舗ビルが必要になるがそれがなかった。
【０００５】
この改善策として店舗ビルにコンテナークレーンを装備し、これを各種センサーとコンピュータによりコントロールする事で、コンテナー運搬車から店舗内の所定の位置に組込み取外す方法がある。
【特許文献ｎ】なし
【非特許文献１】日本コンテナアソートカタログ（ＪＡＣＡＣＯＮ・ＨＯＵＳＥ）
【発明の開示】
【発明が解決しようとする課題】
【０００６】
解決しようとする問題点は従来の固定店舗では、高鮮度の商品を鮮度内の数時間で売り切ってしまうと、鮮魚店の跡で飲食店は出来ないように同じ店舗で他の商品を扱うことは、臭気等内装を含め室内環境上難しいという点である。
【課題を解決するための手段】
【０００７】
本発明は、店舗そのものを容易に移動し業態変更も可能とするために、店舗ビル内にコンテナー型店舗を利用し、これを搬出入出来るコンテナークレーン形式の走行クレーン型自動搬出入機械システムと店舗組込みスペースを装備する事で、仕入れから販売までのマーケットを形成するシステムであることを最も主要な特徴とする。
【発明の効果】
【０００８】
本発明の コンテナー型店舗 を容易に搬出入出来る、コンテナークレーンと設置スペース を装備した店舗ビルがあれば、高鮮度の商品を生産地から直接店舗ビル内に搬入出来る上、鮮度を保ちながら流通コストを低減でき、消費行動に合わせて1日数回の素早い店舗展開が可能となる等、固定型店舗では出来ない大きな利点が生まれる。
【発明を実施するための最良の形態】
【０００９】
既存の駅前商店街など、徒歩圏内を商圏とする地域に、生鮮食品を主とする数店舗を搬出入出来る、 店舗組込みスペース・客溜り・デッキスペース ・レジスペース ・便所 ・管理室等を備えた上に、コンテナー型店舗を搬出入できる
コンテナークレーン形式の走行クレーン型自動搬出入機械システムを備えた食品スーパー形式の店舗ビルを建設し、ここで消費行動に合わせた店舗展開を行う事で、賑いのある空間が生まれ
商店街の 活性化の基地にすることが出来る。  
【実施例１】
【００１０】
図１は本発明装置の１実地例のコンテナー型店舗を使い１日の消費行動に合わせて数回の業態変更を可能とする店舗ビルシステムを核とする生産地からの仕入れから販売までのマーケットシステムのフローである。
【００１１】
図２はコンテナー型店舗の詳細図とコンテナークレーンである走行クレーン型自動搬出入機械システムを備えた店舗ビルシステムの図である。
【００１２】
図３は生鮮食品を扱うコンテナー型店舗を４基集積し食品スーパーとする店舗ビルシステムである。
【００１３】
図４は飲食を主とするコンテナー型店舗を４基集積し飲食店ビルとした店舗ビルシステムである。
【００１４】
図５は洋品雑貨を扱うコンテナー型店舗を４基集積し物販ビルとした店舗ビルシステムである。
【００１５】
図６はコンテナー型店舗を使った店舗ビルシステムの立面図でコンテナー型店舗をコンテナークレーンで店舗ビルに搬出入する様子である。
【００１６】
図７はコンテナー型店舗を使ったマーケットシステムの事業システムのフロー図である。
【産業上の利用可能性】
【００１７】
コンテナー型店舗を固定型店舗ではなく機動性のある移動型店舗とする事で、商品の仕入れから販売にまでに利用出来るように、店舗ビル内にコンテナー型店舗を組込める店舗組み込みスペースと、コンテナークレーンを設ける事で、自由な店舗変更が可能となり、消費行動に合わせた素早い出店が出来る様になるなど今までの固定型店舗の概念を覆す店舗展開が可能となる。
【図面の簡単な説明】
【００１８】
【図１】仕入れから販売までコンテナー型店舗を使ったかマーケットシステムのフロー図である。
【図２】コンテナークレーンである走行クレーン型自動搬出入機械システムを備えた店舗ビルシステムの概念図である。
【図３】コンテナー型店舗を使った食品スーパーの図面である。
【図４】コンテナー型店舗を使った飲食店ビルの図面である。
【図５】コンテナー型店舗を使った洋品雑貨ビルの図面である。
【図６】コンテナー型店舗を使った店舗ビルシステムの立面図である。
【図７】コンテナー型店舗を使ったマーケットシステムの事業フローである。
【図１】
2006291562.tif 000003
【図２】
2006291562.tif 000004
【図３】
2006291562.tif 000005
【図４】
2006291562.tif 000006
【図５】
2006291562.tif 000007
【図６】
2006291562.tif 000008
【図７】
2006291562.tif 000009